(57)【要約】      （修正有）【課題】特別な駆動装置が不要で手動により洗浄液を強力に噴射することができ、狭い隙間の汚れも容易に落とすことができる清掃用スプレー装置を提供する。【解決手段】ピストンロッド１４に装着されたフロントグリップ３５とシリンダチューブ３に装着されたリヤグリップ１２とを互いに引き離す方向にそれらグリップ１２，３５を相対移動させる引動操作時には、シリンダチューブ３内における先端側液室の洗浄液をピストンからピストンロッド１４へと流す。また、フロントグリップ３５とリヤグリップ１２とを互いに近づける方向にそれらグリップ１２，３５を相対移動させる押動操作時には、シリンダチューブ３内における基端側液室の洗浄液をピストンからピストンロッド１４へと流すように構成し、ピストンロッド１４から送られてくる洗浄液を噴霧するブラシ付きノズル４７を備えるものとする。【選択図】図１
0003181556.tif 000002
【実用新案登録請求の範囲】
【請求項１】
基端側が洗浄液の吸入口と繋がり先端側が開口されたシリンダチューブと、
前記シリンダチューブに装着され、人の手で把持可能なリヤグリップと、
前記シリンダチューブの内部にそのシリンダチューブの軸線に沿って往復運動可能に嵌め込まれる中空状のピストンと、
前記シリンダチューブの先端側に配されて前記ピストンの中空部と連通状態で接合され、前記ピストンと共にそのシリンダチューブの軸線に沿って往復運動可能な中空状のピストンロッドと、
前記シリンダチューブと前記ピストンロッドとの間を密封する液密シールと、
前記ピストンロッドに装着され、人の手で把持可能なフロントグリップと、
前記フロントグリップとリヤグリップとを互いに引き離す方向にそれらグリップを相対移動させる引動操作時に、前記シリンダチューブ内の先端側液室の洗浄液を前記ピストンからピストンロッドの先端に向かって流す流路と、前記フロントグリップとリヤグリップとを互いに近づける方向にそれらグリップを相対移動させる押動操作時に、前記シリンダチューブ内の基端側液室の洗浄液を前記ピストンからピストンロッドの先端に向かって流す流路とを切り換える流路切換機構と、
前記ピストンロッドの先端に向かって送られてくる洗浄液を噴霧するブラシ付きノズルと、
を備えることを特徴とする清掃用スプレー装置。
【請求項２】
前記ピストンロッドと前記ブラシ付きノズルとがそのピストンロッドと入れ子構造を呈する中空状の延長パイプで接続される請求項１に記載の清掃用スプレー装置。
【請求項３】
前記延長パイプに対し前記ブラシ付きノズルが着脱可能に装着される請求項１または２に記載の清掃用スプレー装置。
【考案の詳細な説明】
【技術分野】
【０００１】
本考案は、例えばサッシの溝部や自動車ホイールの凹凸部、タイルの目地部など手指の届かない奥深い所や凹凸のある所に対し、水そのものあるいは洗浄、除菌、消臭等の効果のある液剤を含有する水（以下、これらを総称して「洗浄液」という。）を噴射する清掃用スプレー装置に関するものである。
【背景技術】
【０００２】
従来、例えばペットボトル等の液体容器の開口部にスプレーガンを取り付け、このスプレーガンの引き金を引くと、スプレーガンに内蔵された小型のポンプが作動して液体容器内から吸い上げた洗浄液をノズルから噴射するようにしたものがある（例えば、特許文献１参照）。
【０００３】
しかし、この特許文献１のものでは、引き金を手指で操作する力で内蔵する小型のポンプを作動させて噴射力を得る構成であるため、噴射力が弱く、例えばサッシの清掃等で、狭い隙間に強力に洗浄液を噴射しなければならないような用途には適さないという問題点がある。
【０００４】
そこで、電磁石による電磁吸引力とスプリングによる弾発力との作用により往復運動されるピストンで洗浄液を強力に押し出してノズルから噴射するようにしたものが提案されている（例えば、特許文献２参照）。
【先行技術文献】
【特許文献】
【０００５】
【特許文献１】２００３−３４０３２４号公報
【特許文献２】実開平６−２１７６１号公報
【０００６】
しかしながら、上記の特許文献２のものでは、電磁石を主体とする特別な駆動装置が必要であるため、装置が大がかりになり、手軽に使用することができないという問題点がある。
【考案の概要】
【考案が解決しようとする課題】
【０００７】
本考案は、前述のような問題点に鑑みてなされたもので、特別な駆動装置が不要で手動により洗浄液を強力に噴射することができ、狭い隙間の汚れも容易に落とすことができる清掃用スプレー装置を提供することを目的とするものである。
【課題を解決するための手段】
【０００８】
前記目的を達成するために、本考案による清掃用スプレー装置は、
基端側が洗浄液の吸入口と繋がり先端側が開口されたシリンダチューブと、
前記シリンダチューブに装着され、人の手で把持可能なリヤグリップと、
前記シリンダチューブの内部にそのシリンダチューブの軸線に沿って往復運動可能に嵌め込まれる中空状のピストンと、
前記シリンダチューブの先端側に配されて前記ピストンの中空部と連通状態で接合され、前記ピストンと共にそのシリンダチューブの軸線に沿って往復運動可能な中空状のピストンロッドと、
前記シリンダチューブと前記ピストンロッドとの間を密封する液密シールと、
前記ピストンロッドに装着され、人の手で把持可能なフロントグリップと、
前記フロントグリップとリヤグリップとを互いに引き離す方向にそれらグリップを相対移動させる引動操作時に、前記シリンダチューブ内の先端側液室の洗浄液を前記ピストンからピストンロッドの先端に向かって流す流路と、前記フロントグリップとリヤグリップとを互いに近づける方向にそれらグリップを相対移動させる押動操作時に、前記シリンダチューブ内の基端側液室の洗浄液を前記ピストンからピストンロッドの先端に向かって流す流路とを切り換える流路切換機構と、
前記ピストンロッドの先端に向かって送られてくる洗浄液を噴霧するブラシ付きノズルと、
を備えることを特徴とするものである（第１考案）。
【０００９】
本考案において、前記ピストンロッドと前記ブラシ付きノズルとがそのピストンロッドと入れ子構造を呈する中空状の延長パイプで接続されるのが好ましい（第２考案）。
【００１０】
本考案において、前記延長パイプに対し前記ブラシ付きノズルが着脱可能に装着されるのが好ましい（第３考案）。
【考案の効果】
【００１１】
本考案においては、フロントグリップとリヤグリップとを互いに引き離す方向にそれらグリップを相対移動させる引動操作時に、シリンダチューブにおける先端側液室の洗浄液がピストンからピストンロッドを介してブラシ付きノズルから噴射される。これとは逆に、フロントグリップとリヤグリップとを互いに近づける方向にそれらグリップを相対移動させる押動操作時には、シリンダチューブにおける基端側液室の洗浄液がピストンからピストンロッドを介してブラシ付きノズルから噴射される。つまり、これら押動操作および引動操作のいずれの操作でも、複動式シリンダ部からブラシ付きノズルを介して洗浄液が噴射され、洗浄液が連続噴射される。
また、リヤグリップとフロントグリップとを両手で握って両腕で押し引き操作する力で複動式シリンダ部を作動させて噴射力を得る構成であるため、特別な駆動装置が不要であり、しかも手指の操作力で噴射力を得る従来のものよりも洗浄液を強力に噴射することができる。
また、ブラシ付きノズルから洗浄液が噴射されるので、例えばサッシの清掃等において、狭い隙間に強力に洗浄液を噴射しながら、ノズルに付設のブラシでその隙間の汚れを掻き出すことができ、狭い隙間の汚れも容易に落とすことができる。
【００１２】
第２考案の構成を採用することにより、ブラシ付きノズルから噴射される洗浄液をより遠くまで届かせることができる。
【００１３】
第３考案の構成を採用することにより、ブラシ付きノズルのブラシ部分が磨耗して汚れ掻き出し機能が衰えたとしても、ブラシ付きノズルそれ自体を交換することで、速やかに汚れ掻き出し機能の回復を図ることができる。
【図面の簡単な説明】
【００１４】
【図１】本考案の一実施形態に係る清掃用スプレー装置の説明図で、（ａ）は引動操作状態の側面図であり、（ｂ）は押動操作状態の側面図であり、（ｃ）は要部分解図である。
【図２】本実施形態の清掃用スプレー装置の要部縦断面図で、（ａ）は引動操作状態図、（ｂ）は（ａ）のＡ部拡大図、（ｃ）は押動操作状態図、（ｄ）は（ｃ）のＢ部拡大図である。
【考案を実施するための形態】
【００１５】
次に、本考案による清掃用スプレー装置の具体的な実施の形態について、図面を参照しつつ説明する。
【００１６】
＜清掃用スプレー装置の概略説明＞
図１（ａ）（ｂ）に示される清掃用スプレー装置１は、複動式シリンダ部２を両腕で押し引きして伸縮させることで洗浄液を噴射する形式のスプレー装置であり、その複動式シリンダ部２の本体部分を構成するシリンダチューブ３を備えている。
【００１７】
＜シリンダチューブの説明＞
図２（ａ）に示されるように、シリンダチューブ３は、先端側と基端側の両方に開口され、これら開口部の間に、後述するピストン１３が嵌め込み可能な中空部３ａを有している。
シリンダチューブ３の基端部には、ボール弁４が組み付けられている。
ボール弁４は、シリンダチューブ３の基端部に液密に螺着されるボール弁本体４ａを備え、このボール弁本体４ａの内部に弁玉５が組み込まれて構成されている。
ボール弁本体４ａは、洗浄液を外部から吸入するための吸入口６と、この吸入口６から吸入された洗浄液をシリンダチューブ３の内部に向けて吐出するための吐出口７とを有している。このボール弁本体４ａにおいて、それら吸入口６と吐出口７との間には、弁玉５が収容される弁玉収容部８が設けられている。
ボール弁本体４ａにおける吸入口６には、吸込管９が液密に螺着されている。この吸込管９の基端部には、弁玉５が座る弁座部９ａが形成されている。また、この吸込管９の先端部には、ホース１０を介して防塵網付きの吸水重錘１１（図１（ａ）（ｂ）参照）が接続される。
【００１８】
＜リヤグリップの説明＞
シリンダチューブ３には、その基端部と中間部との間における外周面にリヤグリップ１２が装着されている。このリヤグリップ１２は、人の手で把持するのに丁度良い大きさの樹脂成形品で、滑り止め効果のある蛇腹形状とされている。
【００１９】
＜ピストン、ピストンロッドの説明＞
図２（ｂ）に示されるように、シリンダチューブ３の内部には、そのシリンダチューブ３の軸線に沿って往復運動可能に中空状のピストン１３が嵌め込まれている。このピストン１３には、シリンダチューブ３の先端側でそのシリンダチューブ３と同軸心上に配される中空状のピストンロッド１４が筒状継手１５を介して接続されている。これらピストン１３およびピストンロッド１４は、筒状継手１５を介して一体となって共にシリンダチューブ３の軸線に沿って往復運動可能にシリンダチューブ３内に挿入されている。
【００２０】
ピストン１３においては、その軸心に沿って先端から基端に亘って中空部１６が形成されている。この中空部１６において、その先端部分には、筒状継手１５が螺合される雌螺子１７が設けられ、その基端部分には、洗浄液を吸入するための吸入孔１８が設けられ、これら雌螺子１７と吸入孔１８との間には、弁玉１９が収容される弁玉収容部２０が形成されている。また、このピストン１３の吸入孔１８の周縁には、弁玉収容部２０に収容される弁玉１９が座る弁座部１８ａが形成されている。
ピストン１３の基端部における外周面には、軸線方向に所定隙間を存して配される鍔部によって形成されるＯリング溝２１が設けられ、このＯリング溝２１に、シリンダチューブ３の内周面に摺接するＯリング２２が嵌め込まれている。
【００２１】
筒状継手１５において、その軸心部分には、先端から基端に亘って貫通する洗浄液流通孔２３が穿設されている。この筒状継手１５の先端部分における外周面には、洗浄液流通孔２３に繋がる連通孔２４が形成され、この連通孔２４に対応する連通孔２５がピストンロッド１４の基端部に穿設されている。
また、筒状継手１５の基端部分には、ピストン１３の雌螺子１７に対応する雄螺子２６が設けられるとともに、径方向の全幅に亘って切り込まれたスリット２７が設けられている。
【００２２】
ピストンロッド１４の基端部には、互いの連通孔２４，２５の位置を合わせた状態で筒状継手１５の先端部分が嵌め込まれ、ピストン１３とピストンロッド１４との境界近傍におけるピストンロッド１４と筒状継手１５との重合部分がかしめられることによってそれらピストンロッド１４と筒状継手１５とが互いに固定され、ピストン１３の弁玉収容部２０に弁玉１９を組み込んだ状態で該ピストン１３を筒状継手１５の雄螺子２６にねじ込み締結することにより、ボール弁機能を備えたピストンロッドアッセンブリが構成される。
【００２３】
＜液密シールの説明＞
シリンダチューブ３とピストンロッド１４との間には、両者間を密封する液密シール３０が組み込まれている。
この液密シール３０は、ピストンロッド１４の外周面に嵌められるシール筒３１を備えている。
シール筒３１は、先端側の大径部３１ａと、この大径部３１ａと同軸心で一体的に基端側に設けられる小径部３１ｂとからなり、大径部３１ａは、シリンダチューブ３の先端面と当接可能な径寸法とされ、小径部３１ｂは、シリンダチューブ３の先端部内部に嵌合可能な径寸法とされている。
シール筒３１の大径部３１ａの先端部内周縁には、環状溝が形成され、この環状溝には、ピストンロッド１４の外周面に装着されるＯリング３２が嵌め込まれている。
シール筒３１の大径部３１ａと小径部３１ｂとの境界部分には、Ｏリング３３が装着されている。
【００２４】
ピストンロッド１４には、シール筒３１の先端側に位置するようにシリンダキャップ３４が装着されている。そして、シール筒３１の小径部３１ｂをシリンダチューブ３の先端部内部に嵌め込み、大径部３１ａをＯリング３３を介してシリンダチューブ３の先端面に当接させた状態で、シリンダキャップ３４をシリンダチューブ３の先端部に螺着することにより、シール筒３１とＯリング３２，３３とよりなる液密シール３０がシリンダチューブ３に対し位置決め・固定され、この液密シール３０によってシリンダチューブ３とピストンロッド１４との間が密封されるようになっている。
【００２５】
＜フロントグリップの説明＞
図１（ａ）（ｂ）に示されるように、ピストンロッド１４には、その中間部と先端部との間における外周面にフロントグリップ３５が装着されている。このフロントグリップ３５は、リヤグリップ１２と同様に、人の手で把持するのに丁度良い大きさの樹脂成形品で、滑り止め効果のある蛇腹形状とされている。
このフロントグリップ３５とシリンダキャップ３４との間には、ピストンロッド１４の外周面に装着されるＯリング３６が介在されている。このＯリング３６は、後述する押動操作時に、フロントグリップ３５がシリンダキャップ３４に衝突する際の衝撃を緩和する役目をする。
【００２６】
＜流路切換機構の説明＞
図２（ａ）（ｃ）に示されるように、シリンダチューブ３においては、ピストン１３とボール弁４との間に基端側液室３７が区画形成されるとともに、ピストン１３と液密シール３０とピストンロッド１４との間に先端側液室３８が区画形成されている。
図１（ａ）に示されるように、フロントグリップ３５とリヤグリップ１２とを互いに引き離す方向にそれらグリップ１２，３５を相対移動させる引動操作時においては、図２（ａ）に示されるように、基端側液室３７内の圧力が低くなるため、ボール弁４内の弁玉５が吸込管９の弁座部９ａから引き離される一方、先端側液室３８内の圧力が高くなるため、ピストン１３内の弁玉１９がピストン１３の弁座部１８ａに押し当てられる（図２（ｂ）参照）。これにより、基端側液室３７内に吸込管口９からの洗浄液が流れ込む一方、図２（ｂ）に示されるように、先端側液室３８内の洗浄液がピストンロッド１４の連通孔２５、筒状継手１５の連通孔２４および洗浄液流通孔２３を介してピストンロッド１４の先端に向かって流れる。
図１（ｂ）に示されるように、フロントグリップ３５とリヤグリップ１２とを互いに近づける方向にそれらグリップ１２，３５を相対移動させる押動操作時においては、図２（ｃ）に示されるように、基端側液室３７内の圧力が高くなるため、ボール弁４内の弁玉５が吸込管９の弁座部９ａに押し当てられる一方、先端側液室３８内の圧力が低くなるため、ピストン１３内の弁玉１９がピストン１３の弁座部１８ａから引き離される（図２（ｄ）参照）。これにより、図２（ｄ）に示されるように、基端側液室３７内の洗浄液の一部がピストン１３の吸入孔１８から筒状継手１５のスリット２７および洗浄液流通孔２３を介してピストンロッド１４の先端に向かって流れる一方、同洗浄液の残部がピストン１３の吸入孔１８から筒状継手１５のスリット２７、洗浄液流通孔２３、筒状継手１５の連通孔２４およびピストンロッド１４の連通孔２５を介して先端側液室３８内へと流れ込む。
【００２７】
こうして、吸込管９の管路を引動操作時（図２（ａ）参照）に開き押動操作時（同図（ｃ）参照）に閉じる弁玉５と、ピストン１３の吸込孔１８を引動操作時（同図（ａ）参照）に閉じ押動操作時（同図（ｃ）参照）に開く弁玉１９とにより、引動操作時（同図（ａ）参照）に先端側液室３８内の洗浄液をピストン１３からピストンロッド１４の先端に向かって流す流路と、押動操作時（同図（ｃ）参照）に基端側液室３７内の洗浄液をピストン１３からピストンロッド１４の先端に向かって流す流路とを切り換える流路切換機構が構成される。
【００２８】
＜延長パイプの説明＞
図１（ｃ）に示されるように、ピストンロッド１４の内部には、そのピストンロッド１４と入れ子構造を呈する中空状の延長パイプ４０が抜き差し方向に移動可能に挿入されている。
ピストンロッド１４の先端部には、該先端部を周方向に４分割するように４つのスリット４１（図１（ｃ）では１つのみ表わす。）が設けられることで４つのチャック爪４２（図１（ｃ）では２つのみ表わす。）が形成されている。これらチャック爪４２と係合する締付キャップ４３がピストンロッド１４に螺着されており、この締付キャップ４３を締め込むと、４つのチャック爪４２が径方向内向きに移動され、これらチャック爪４２によって延長パイプ４０が締め付けられて、ピストンロッド１４に対する延長パイプ４０の位置が固定されるようになっている。
【００２９】
＜ストレート噴出ノズルの説明＞
延長パイプ４０の先端部には、ストレート噴出ノズル４４が固着されている。このストレート噴出ノズル４４の先端面の中心には、ノズル孔４５が設けられており、ピストンロッド１４から延長パイプ４０を介して送られてくる洗浄液をそのノズル孔４５を通して軸線方向に直線状に噴出することができるようになっている。
ストレート噴出ノズル４４の先端部には、軸線方向に所定隙間を存して配される鍔部によって形成されるＯリング溝にＯリング４６が嵌め込まれている。
【００３０】
＜ブラシ付きノズルの説明＞
ストレート噴出ノズル４４には、ブラシ付きノズル４７が着脱可能に螺着されている。このブラシ付きノズル４７は、ノズル４８とブラシ４９とから構成されている。
ストレート噴出ノズル４４に対してノズル４８を締め込んでいくと、ストレート噴出ノズル４４に装着されたＯリング４６にノズル４８の内周面が当接されて、ストレート噴出ノズル４４とノズル４８とがそのＯリング４６によって密封されるようになっている。
ノズル４８の先端面には、ストレート噴出ノズル４４のノズル孔４５に対応させてノズル孔５０が設けられており、ストレート噴出ノズル４４からの洗浄液をそのノズル孔５０を通して軸線方向に直線状に噴出することができるようになっている。
ブラシ４９は、洗浄液の噴射方向に延びて密集状態でノズル４８の先端面の外周部に植設される所定本数の合成樹脂製あるいは金属製の毛を一単位のブラシユニット５１として、複数のブラシユニット５１がノズル孔５０を中心として周方向に所定ピッチで配置されてなるものである。このブラシ４９の毛先は、図１（ｃ）において、上側が長く下側が短くなるように斜めにカットされた形状とされている。通常、ブラシ４９で掻き取った汚れを下側に落とすようにするため、図１（ｃ）に示されるように、ブラシ４９の毛の長い方を上側に、毛の短い方を下側に向けて汚れの掻き取り作業を行うが、ブラシ４９の毛先の向きを変えたいときには、ピストンロッド１４をその軸線回りに回すことにより、ブラシ４９の毛の長い方を下側に、毛の短い方を上側に向けたり、ブラシ４９の毛の長い方を右側に、毛の短い方を左側に向けたり、ブラシ４９の毛の長い方を左側に、毛の短い方を右側に向けたりといった具合に、ブラシ４９の毛先の向きを自由に変えることができる。
【００３１】
＜清掃用スプレー装置による洗浄動作の説明＞
以上に述べたように構成される清掃用スプレー装置１を使用するにあたっては、図１（ａ）（ｂ）に示されるように、吸込管９と吸水重錘１１とをホース１０で繋ぎ、吸水重錘１１を、洗浄液が貯められている図示されないバケツ等の容器に入れる。そして、ブラシ付きノズル４７を、例えばサッシの溝の汚れている所に向けて構え、フロントグリップ３５とリヤグリップ１２とを互いに引き離す方向にそれらグリップ１２，３５を相対移動させる引動操作と、フロントグリップ３５とリヤグリップ１２とを互いに近づける方向にそれらグリップ１２，３５を相対移動させる押動操作とを繰り返し実施する。
【００３２】
引動操作時においては、図２（ａ）（ｂ）に示されるように、ボール弁４内の弁玉５が吸込管９の弁座部９ａから引き離される一方、ピストン１３内の弁玉１９がピストン１３の弁座部１８ａに押し当てられ、基端側液室３７内に吸込管９からの洗浄液が流れ込む一方、先端側液室３８内の洗浄液がピストンロッド１４の連通孔２５、筒状継手１５の連通孔２４および洗浄液流通孔２３を介してピストンロッド１４の先端に向かって流れ、ピストンロッド１４からの洗浄液が延長パイプ４０およびストレート噴出ノズル４４を介してブラシ付きノズル４７から噴射される。
押動操作時においては、図２（ｃ）（ｄ）に示されるように、ボール弁４内の弁玉５が吸込管９の弁座部９ａに押し当てられる一方、ピストン１３内の弁玉１９がピストン１３の弁座部１８ａから引き離され、基端側液室３７内の洗浄液の一部がピストン１３の吸入孔１８から筒状継手１５のスリット２７および洗浄液流通孔２３を介してピストンロッド１４の先端に向かって流れ、ピストンロッド１４からの洗浄液が延長パイプ４０およびストレート噴出ノズル４４を介してブラシ付きノズル４７から噴射される。
つまり、これら押動操作および引動操作のいずれの操作でも、複動式シリンダ部２からブラシ付きノズル４７を介して洗浄液が噴射され、洗浄液が連続噴射される。
【００３３】
＜作用効果の説明＞
本実施形態の清掃用スプレー装置１によれば、以下のような作用効果を得ることができる。
（１）リヤグリップ１２とフロントグリップ３５とを両手で握って両腕で押し引き操作する力で複動式シリンダ部２を作動させて噴射力を得る構成であるため、特別な駆動装置が不要であり、しかも手指の操作力で噴射力を得る従来のものよりも洗浄液を強力に噴射することができる。
（２）洗浄液がブラシ付きノズル４７から噴射されるので、例えばサッシの清掃等において、狭い隙間に強力に洗浄液を噴射しながら、ノズル４８に付設のブラシ４９でその隙間の汚れを掻き出すことができるので、狭い隙間の汚れも容易に落とすことができる。
（３）ピストンロッド１４とブラシ付きノズル４７とがそのピストンロッド１４と入れ子構造を呈する延長パイプ４０で接続されるので、ブラシ付きノズル４７から噴射される洗浄液をより遠くまで届かせることができる。
（４）延長パイプ４０に固着されたストレート噴出ノズル４４に対しブラシ付きノズル４７が着脱可能に装着されるので、ブラシ付きノズル４７のブラシ部分４９が磨耗して汚れ掻き出し機能が衰えたとしても、ブラシ付きノズル４７それ自体を交換することで、速やかに汚れ掻き出し機能の回復を図ることができる。
【００３４】
以上、本考案の清掃用スプレー装置について、一実施形態に基づいて説明したが、本考案は上記実施形態に記載した構成に限定されるものではなく、その趣旨を逸脱しない範囲において適宜その構成を変更することができるものである。
【００３５】
例えば、図１（ｃ）に示されるように、ストレート噴出ノズル４４に分流器５２を着脱可能に螺着し、この分流器５２にブラシ付きノズル４７を着脱可能に螺着する態様もあり得る。
分流器５２は、ストレート噴出ノズル４４から送られてくる洗浄液を分流孔５３から径方向外向きに二分するものである。
分流器５２の先端面外周部には、一対の斜行切欠き５４，５４が径方向の対称位置に配設され、これら斜行切欠き５４，５４によって洗浄液の噴霧角を拡げることができるようになっている。
分流器５２の軸線方向中間部には、軸線方向に所定隙間を存して配される鍔部によって形成されるＯリング溝にＯリング５５が嵌め込まれている。
ノズル４８の先端部は、先細り形状とされており、分流器５２に対してノズル４８を締め込んでいくと、分流器５２に装着されたＯリング５５にその先細り部分の内周面が当接されて、分流器５２とノズル４８とがそのＯリング５５によって密封されるようになっている。
分流器５２に対するノズル４８の締め込み量を調整することにより、噴霧角を広げたり狭めたりすることができ、ミストとストレートの噴霧パターンを容易に切り換えることができる。
【００３６】
また、ブラシ付きノズル４７において、毛先が斜めにカットされた形状のブラシ４９に代えて、図１（ｄ）に示されるような、毛の長さが揃って毛先がフラットな形状のブラシ４９´を用いても良い。
【産業上の利用可能性】
【００３７】
本考案の清掃用スプレー装置は、両腕で押し引き操作する力で複動式シリンダ部を作動させてブラシ付きノズルから洗浄液を強力に連続噴射可能であるというという特性を有していることから、家庭等において、例えばサッシの溝部や自動車ホイールの凹凸部、タイルの目地部など手指の届かない奥深い所や凹凸のある所の汚れ落としの用途に好適に用いることができる。
【符号の説明】
【００３８】
１        清掃用スプレー装置
３        シリンダチューブ
５        弁玉
１２      リヤグリップ
１３      ピストン
１４      ピストンロッド
１９      弁玉
３０      液密シール
３５      フロントグリップ
４０      延長パイプ
４７      ブラシ付きノズル
【図１】
0003181556.tif 000003
【図２】
0003181556.tif 000004